(57)【要約】【課題】面光源を備える液晶表示装置において、面光源と駆動回路とを接続するためのＦＰＣを必要としない液晶表示装置を提供する。【解決手段】ＬＥＤ光源１０を液晶表示パネル２に配置し、ＬＥＤ光源１０と回路基板４とを接続するＬＥＤ配線１１を液晶表示パネル２に配置する。これにより、ＬＥＤ光源１０と回路基板４とを接続するためのＦＰＣを不要とすることができる。また、ＬＥＤ光源１０をＦＰＣによって覆い被せることがなくなるので、これにより、放熱効率を改善することができる。【選択図】図１
2007188719.tif 000002
【特許請求の範囲】
【請求項１】
液晶表示パネルと、
前記液晶表示パネルの背面に配置した導光体と、
放射した光が前記導光体に入光するように前記液晶表示パネルに配置したＬＥＤからなる光源と、
前記光源を駆動する前記液晶表示パネルに配設された駆動手段と、
前記光源と前記駆動手段とを電気的に接続するために前記液晶表示パネル基板面に配置した配線と、
を有することを特徴とする液晶表示装置。
【請求項２】
前記駆動手段は、前記液晶表示パネルの背面側基板の一辺に配置されたものであって、
前記光源を、前記液晶表示パネルの前記駆動手段を配置した辺とは別の基板の一辺に配置することを特徴とする請求項１に記載の液晶表示装置。
【請求項３】
前記光源を、前記液晶表示パネルの前記駆動手段に対向する位置の一辺に配置することを特徴とする請求項２に記載の液晶表示装置。
【請求項４】
前記駆動手段は、前記液晶表示パネルのアレイ基板側に配置され、前記光源は前記液晶表示パネルの対向基板側に配置されていることを特徴とする請求項１乃至３のいずれかに記載の液晶表示装置。
【発明の詳細な説明】
【技術分野】
【０００１】
本発明は、面光源を備える液晶表示装置において、面光源と駆動回路とを接続するための専用のＦＰＣを不要とする技術に関する。
【背景技術】
【０００２】
近年、液晶表示装置は薄型・軽量の特徴を生かして各種分野で利用されており、液晶表示装置の薄型・軽量化は重要な研究課題のひとつである。
【０００３】
図７は、面光源を備えた従来の液晶表示装置の構成を示す断面図である。同図に示す液晶表示装置１００は、液晶表示パネル２と、ＬＥＤ（Light Emitting Diode）光源１０と、ＬＥＤ光源１０から光を入光して液晶表示パネル２を照明する導光体７と、ＬＥＤ光源１０および導光体７を挟持するフレーム３と、回路基板４と、ＣＯＦ（Chip On Film）５およびＦＰＣ（Flexible Printed Circuit）６とで構成される。
【０００４】
回路基板４は、液晶表示パネル２に駆動信号を供給するとともに、ＬＥＤ光源１０に電力を供給するものであり、液晶表示パネル２は、回路基板４とＣＯＦ５を介して電気的に接続され、ＬＥＤ光源１０は、回路基板４から延出したＦＰＣ６上に配置され、回路基板４と電気的に接続されている。
【０００５】
液晶表示パネル２は、アレイ基板２１、対向基板２２、偏光板２３、２４で構成され、アレイ基板２１と対向基板２２との間には液晶層（図示せず）が形成される。液晶表示パネル２自体は発光しないため、ＬＥＤ光源１０と液晶表示パネル２の背面に配置した導光体７により液晶表示パネル２を照明する。液晶表示パネル２の背面から入射した光は、偏光板２３により、方向が揃えられ、アレイ基板２１と対向基板２２により液晶層に電圧をかけることで、偏光板２４を通過する光を制御する。
【０００６】
導光体７は、ＬＥＤ光源１０から入射される光を効率的に導く導光板と、導光板の液晶表示パネル２側の上面に配置した複数の光学シート（プリズムシート、拡散シートなど）と、導光板の下面に配置した反射シートとで構成される。ＬＥＤ光源１０から放射された光は、導光体７の入光部から入射し、導光体７の全面に広がって液晶表示パネル２を照明する。また、導光体７を挟持するフレーム３の内側には、ＬＥＤ光源１０からの光を導光体７の入光部に導入するためのリフレクタを配置する。
【０００７】
なお、バックライト付液晶表示装置において、ＦＰＣの使用材料を減らす技術として、特許文献１に記載のものが知られている。
【特許文献１】特開２００５−３８８２号公報
【発明の開示】
【発明が解決しようとする課題】
【０００８】
ところで、回路基板４とＬＥＤ光源１０の両方を液晶表示パネル２の背面側に配置する場合には、放熱構造を改善するためにＬＥＤ光源１０を回路基板４から離れた位置に配置し、尚且つＬＥＤ光源１０がＦＰＣ６によって包み込まれないように配置しなければならない。
【０００９】
しかしながら、ＬＥＤ光源１０を回路基板４から離れた位置に配置すると、回路基板４から延出したＦＰＣ６が長くなり、取り回しが煩雑になるという問題がある。
【００１０】
本発明は、上記に鑑みてなされたものであり、その課題とするところは、光源を備えた液晶表示装置において、光源と駆動回路とを接続していたＦＰＣが不要な液晶表示装置を提供することにある。
【課題を解決するための手段】
【００１１】
本発明に係る液晶表示装置は、液晶表示パネルと、液晶表示パネルの背面に配置した導光体と、放射した光が導光体に入光するように、液晶表示パネルに配置したＬＥＤ光源と、ＬＥＤ光源を駆動する駆動手段と、光源と駆動手段とを電気的に接続するために、液晶表示パネル基板面に配置した配線と、を有することを特徴とする。
【００１２】
本発明にあっては、液晶表示パネル上にＬＥＤ光源を配置するとともに、ＬＥＤ光源と回路基板とを接続するための配線を液晶表示パネルを構成する基板面に配置することにより、ＬＥＤ光源と回路基板を接続していたＦＰＣを不要とすることができる。
【発明の効果】
【００１３】
本発明によれば、ＬＥＤ光源を備えた液晶表示装置において、ＬＥＤ光源と駆動回路とを接続していたＦＰＣが不要な液晶表示装置を提供することができる。
【発明を実施するための最良の形態】
【００１４】
以下、本発明の実施の形態について図面を用いて説明する。
【００１５】
図１は、本実施の形態における液晶表示装置の構成を示す断面図である。同図に示す液晶表示装置１は、図７に示したものに対して、ＬＥＤ光源１０を配置していたＦＰＣ６を排除し、ＬＥＤ光源１０を液晶表示パネル２に直接的に配置したものである。このために、ＬＥＤ光源１０が配置される対向基板２２の一側辺は、対向するアレイ基板２１の対応する一側辺よりも外側に位置するように形成されている。
【００１６】
ＬＥＤ光源１０は、対向基板２２の導光体７側の面の一側縁近傍に、導光体７の入光部に光が入射されるように配置される。また、ＬＥＤ光源１０は、液晶表示パネル２に配置された配線およびＣＯＦ５を介して、回路基板４と電気的に接続される。
【００１７】
次に、図２を用いて液晶表示パネル２に配置された駆動信号線およびＬＥＤ配線１１について説明する。
【００１８】
図２は、本実施の形態における液晶表示装置１の構成を示す平面図であり、図１で示した液晶表示装置１のＣＯＦ５を広げ、液晶表示パネル２と回路基板４を並べた構成を示した図である。
【００１９】
アレイ基板２１上には、走査線２６と信号線２７とが交差するように配置され、各交差部毎に画素を備えて表示領域２５を形成している。また、走査線２６および信号線２７などの駆動信号線は、ＣＯＦ５ａ，５ｂを介して回路基板４に接続される。
【００２０】
ＬＥＤ光源１０は、液晶表示パネル２を構成している対向基板２２の背面側（導光体７側）の回路基板４と対向する一辺に配置され、導光体７の入光部と対向するように突設されており、液晶表示パネル２のアレイ基板２１および対向基板２２に配置されたＬＥＤ配線１１により、ＣＯＦ５ａ，５ｂを介して回路基板４に配置されたインターフェース回路（Ｉ／Ｆ）４１と電気的に接続される。
【００２１】
なお、本実施の形態においては、ＬＥＤ光源１０を表示領域２５の上部で、回路基板４に対向する位置の一辺に配置したが、これに限るものではなく、例えば、表示領域２５の左右に配置するものであってもよい。
【００２２】
次に、図３乃至図５を用いて、液晶表示パネル２に配置されたＬＥＤ光源１０と回路基板４とを電気的に接続する接続方法について詳説する。
【００２３】
図３は、アレイ基板２１の構成を示す平面図であり、図４は、対向基板２２の構成を示す平面図である。また、図５は、アレイ基板２１と対向基板２２を重ね合わせる様子を示す斜視図である。
【００２４】
アレイ基板２１と対向基板２２とは、図３、図４で示される面を対向させて図５で示すように重ね合わせられる。なお、図５では、アレイ基板２１を上に、対向基板２２を下にして示している。
【００２５】
図３に示すＬＥＤ配線１１ａは、アレイ基板２１の平面上に配置され、ＬＥＤ光源１０と回路基板４とを電気的に接続する配線である。このＬＥＤ配線１１ａは、例えば駆動信号線をアレイ基板２１面上に形成するのと同様な方法によって、これら駆動信号線と同時に、もしくは別に形成される。このＬＥＤ配線１１ａは、同図に示すように、ＬＥＤ配線１１ａの一方の端はＣＯＦ５ａ，５ｂに接続され、ここから表示領域２５の左右側に沿ってアレイ基板２１のＣＯＦ５ａ，５ｂ側とは反対側の一辺側に延在し、他方の端には、接続端子１１ｂが設けられている。この接続端子１１ｂと、後述する対向基板２２に設けられた接続端子１１ｃとは、アレイ基板２１と対向基板２２を重ね合わせるときに銀ペースト等から構成されるトランスファ１１ｅによって接続される。
【００２６】
一方、対向基板２２側においては、図４で示すように、アレイ基板２１の接続端子１１ｂと対応する位置に対向基板２２側の接続端子１１ｃを設ける。この一対の接続端子１１ｃ間には複数の接続端子１１ｄが配置され、この接続端子１１ｄ間に複数のＬＥＤ素子１０ａを配置し、これらのＬＥＤ素子１０ａを直列に接続することによりＬＥＤ光源１０を構成する。
【００２７】
これら接続端子１１ｃ，１１ｄ、およびこれら接続端子１１ｃ，１１ｄを接続する配線部分は、対向基板２２に対向電極を形成するのと同様な方法によって、対向電極と同時に、もしくは別に形成される。接続端子１１ｄと接続端子１１ｃは配線によって接続されており、接続端子１１ｃは、図５に示すように、アレイ基板２１上の接続端子１１ｂにトランスファ１１ｅを介して接続されるので、接続端子１１ｄに配置したＬＥＤ素子１０ａは、アレイ基板２１に配置されたＬＥＤ配線１１ａを介して、回路基板４と電気的に接続される。
【００２８】
なお、本実施の形態においては、複数のＬＥＤ素子１０ａを直列に接続したが、これに限定するものではなく、例えば、偶数番目、奇数番目のＬＥＤ素子１０ａをそれぞれ直列に接続し、直列に接続した偶数番目、奇数番目のＬＥＤ素子１０ａの集まりをさらに並列に接続してもよい。あるいは、これら分割した偶数番目および奇数番目のＬＥＤ素子１０ａ回路を夫々別々の駆動回路によって輝度むらや色度むらが発生しないように駆動することも可能で、この分割数は２分割に特定されずに３分割以上の分割数に設定することも可能である。
【００２９】
本実施の形態においては、ＬＥＤ配線１１を表示領域２５の左右両側に配線し、ＬＥＤ素子１０ａの入出力配線を分離しているので、ＬＥＤ配線１１間での耐圧の問題を改善することができる。
【００３０】
図６は、本実施の形態における別の液晶表示装置１の構成図を示す平面図である。同図に示す液晶表示装置１は、図２に示したものに対して、ＬＥＤ配線１１が表示領域２５を囲わないように、液晶表示パネル２の片側に配置したものである。
【００３１】
この実施の形態においては、表示領域２５の左右側のいずれかに部品が配置されていたり、スペース的に余裕がない場合でも対応することが可能で、特にＬＥＤ光源１０をＣＯＦ５ａ，５ｂの設けられた辺と隣接する左右辺のいずれか、もしくは両辺に配置するような形態の場合に、配線引廻しの長さを短く形成することができる。
【００３２】
以上説明したように、本実施の形態によれば、ＬＥＤ光源１０を液晶表示パネル２に配置し、ＬＥＤ光源１０と回路基板４とを接続するＬＥＤ配線１１を液晶表示パネル２に配置することにより、ＬＥＤ光源１０と回路基板４とを接続するためのＦＰＣ６を不要とすることができる。
【００３３】
本実施の形態によれば、ＬＥＤ光源１０を、回路基板４とは別の一辺に配置することにより、放熱効率を改善することができる。また、ＬＥＤ光源１０を、回路基板４に対向する位置の一辺に配置することにより、より放熱効率を改善することができる。
【００３４】
なお、本発明においては、上記実施の形態のようにＬＥＤ配線１１をアレイ基板２１側に設けずに、このＬＥＤ配線１１とＬＥＤ光源１０を全て対向基板２２側に配置し、アレイ基板２１側にはＣＯＦ５ａ，５ｂの近辺に、このＣＯＦ５ａ，５ｂに接続された接続端子１１ｂのみだけ設けるようにして、主体を対向基板２２側にもってくるように構成することも可能で、この場合には信号駆動線等の配線パターン形成に影響を与える虞を少なくすることができ、設計の汎用性向上が期待できる。
【図面の簡単な説明】
【００３５】
【図１】一実施の形態における液晶表示装置の構成を示す断面図である。
【図２】一実施の形態における液晶表示装置の構成を示す平面図である。
【図３】一実施の形態におけるアレイ基板の構成を示す平面図である。
【図４】一実施の形態における対向基板の構成を示す平面図である。
【図５】一実施の形態における液晶表示パネルの構成を示す斜視図である。
【図６】一実施の形態における別の液晶表示装置の構成を示す平面図である。
【図７】従来の液晶表示装置の構成を示す断面図である。
【符号の説明】
【００３６】
１…液晶表示装置
２…液晶表示パネル
２１…アレイ基板
２２…対向基板
２３，２４…偏光板
３…フレーム
４…回路基板
４１…Ｉ／Ｆ
５，５ａ，５ｂ…ＣＯＦ
６…ＦＰＣ
７…導光体
１０…ＬＥＤ光源
１０ａ…ＬＥＤ素子
１１，１１ａ…ＬＥＤ配線
１１ｂ，１１ｃ，１１ｄ…接続端子
１１ｅ…トランスファ
【図１】
2007188719.tif 000003
【図２】
2007188719.tif 000004
【図３】
2007188719.tif 000005
【図４】
2007188719.tif 000006
【図５】
2007188719.tif 000007
【図６】
2007188719.tif 000008
【図７】
2007188719.tif 000009